(57)【要約】【課題】アンテナの増加に伴ってＣＳＩ−ＲＳ数が増加した場合であっても、ＣＳＩ−ＲＳを適切に送受信すること。【解決手段】複数のアンテナからのチャネル状態の測定用のＣＳＩ−ＲＳを受信可能な移動端末装置（１０Ａ）と、移動端末装置よりも少数のアンテナからのＣＳＩ−ＲＳを受信可能な移動端末装置（１０Ｂ）とに対し、ＣＳＩ−ＲＳを送信する基地局装置（２０）であって、無線リソースに、移動端末装置（１０Ａ）が対応するアンテナ数分のＣＳＩ−ＲＳを割り当てるＣＳＩ−ＲＳ割当部（２１１）と、移動端末装置（１０Ａ）に対しては、ＣＳＩ−ＲＳが割り当てられるリソースを通知し、移動端末装置（１０Ｂ）に対しては、ＣＳＩ−ＲＳが割り当てられるリソースを通知する際に、一部のリソースをミューティングされるリソースとして通知する送受信部とを備えた。【選択図】図５
2012169821.tif 000002
【特許請求の範囲】
【請求項１】
複数のアンテナからチャネル状態の測定用の参照信号を受信可能な第１の移動端末装置と、前記第１の移動端末装置よりも少数のアンテナからの前記参照信号を受信可能な第２の移動端末装置とに対し、前記参照信号を送信する基地局装置であって、
前記参照信号の送信用に規定されたミューティング可能な参照信号用リソースに、少なくとも前記第１の移動端末装置が対応するアンテナ数分の前記参照信号を割り当てる参照信号割当部と、
前記第１の移動端末装置に対しては、前記参照信号が割り当てられるリソースを通知し、前記第２の移動端末装置に対しては、前記参照信号が割り当てられるリソースを通知する際に、一部のリソースをミューティングされるリソースとして通知する参照信号通知部とを備えたことを特徴とする基地局装置。
【請求項２】
前記第１の移動端末装置と前記第２の移動端末装置とを、前記第１の移動端末装置及び前記第２の移動端末装置から通知されるシグナリングにより識別することを特徴とする請求項１に記載の基地局装置。
【請求項３】
前記参照信号割当部は、前記第１の移動端末装置が対応するアンテナ数分の前記参照信号を前記参照信号用リソースに割り当て、
前記参照信号通知部は、前記第１の移動端末装置に対しては、全ての前記参照信号が割り当てられるリソースを通知し、前記第２の移動端末装置に対しては、一部の前記参照信号が割り当てられるリソースを通知すると共に、残りの前記参照信号が割り当てられるリソースをミューティングされるリソースとして通知することを特徴とする請求項１に記載の基地局装置。
【請求項４】
前記参照信号通知部は、前記第１の移動端末装置に対しては、全ての前記参照信号が割り当てられるリソースを個別に通知し、前記第２の移動端末装置に対しては、一部の前記参照信号が割り当てられるリソースとミューティングとして認識されるリソースとを個別に通知することを特徴とする請求項３に記載の基地局装置。
【請求項５】
前記参照信号通知部は、前記第１の移動端末装置及び前記第２の移動端末装置に対して、それぞれに対応した前記参照信号が割り当てられるリソースと前記第２の移動端末装置に対してミューティングとして認識されるリソースとを一斉に通知することを特徴とする請求項３に記載の基地局装置。
【請求項６】
前記参照信号通知部は、前記第１の移動端末装置及び前記第２の移動端末装置に対して、全ての前記参照信号が割り当てられるリソースと前記第２の移動端末装置にミューティングとして認識されるリソースとを一斉に通知することを特徴とする請求項３に記載の基地局装置。
【請求項７】
前記参照信号通知部は、前記第１の移動端末装置及び前記第２の移動端末装置に対して、全ての前記参照信号が割り当てられるリソースを通知し、前記第２の移動端末装置には、一部のリソースをミューティングされるリソースとして認識させることを特徴とする請求項３に記載の基地局装置。
【請求項８】
前記参照信号割当部は、前記第１の移動端末装置用の前記参照信号と前記第２の移動端末装置用の前記参照信号とを異なるリソースに割り当て、
前記参照信号通知部は、前記第１の移動端末装置に対しては、前記第１の移動端末装置用の前記参照信号が割り当てられるリソースを通知すると共に、前記第２の移動端末装置用の前記参照信号が割り当てられるリソースをミューティングされるリソースとして通知し、前記第２の移動端末装置に対しては、前記第２の移動端末装置用の前記参照信号が割り当てられるリソースを通知すると共に、前記第１の移動端末装置用の前記参照信号が割り当てられるリソースをミューティングされるリソースとして通知することを特徴とする請求項１に記載の基地局装置。
【請求項９】
前記参照信号通知部は、前記第１の移動端末装置に対しては、前記第１の移動端末装置用の前記参照信号が割り当てられるリソースと前記第１の移動端末装置にミューティングとして認識されるリソースとを個別に通知し、前記第２の移動端末装置に対しては、前記第１の移動端末装置用の前記参照信号が割り当てられるリソースと前記第２の移動端末装置にミューティングとして認識されるリソースとを個別に通知することを特徴とする請求項８に記載の基地局装置。
【請求項１０】
前記参照信号通知部は、前記第１の移動端末装置及び前記第２の移動端末装置に対して、それぞれに対応した前記参照信号が割り当てられるリソースと、それぞれにミューティングとして認識されるリソースとを一斉に通知することを特徴とする請求項８に記載の基地局装置。
【請求項１１】
前記参照信号通知部は前記第１の移動端末装置及び前記第２の移動端末装置に対して、それぞれに対応した前記参照信号が割り当てられるリソースを一斉に通知し、前記第１の移動端末装置には、前記第２の移動端末装置用の前記参照信号が割り当てられたリソースをミューティングされるリソースとして認識させ、前記第２の移動端末装置には、前記第１の移動端末装置用の前記参照信号が割り当てられたリソースをミューティングされるリソースとして認識させることを特徴とする請求項８に記載の基地局装置。
【請求項１２】
複数のアンテナからチャネル状態の測定用の参照信号を受信可能な他の移動端末装置と共に基地局装置に接続され、前記他の移動端末装置よりも多数のアンテナからの前記参照信号を前記基地局装置から受信可能な移動端末装置であって、
前記参照信号の送信用に規定されたミューティング可能な参照信号用リソースに、少なくとも前記他の移動端末装置が対応するアンテナ数よりも多くの前記参照信号を割り当て、前記他の移動端末装置に対しては前記参照信号を割り当てるリソースを通知する際に、一部のリソースをミューティングされるリソースとして通知する前記基地局装置から、前記参照信号が割り当てられるリソースの通知を受ける受信部と、
前記参照信号に基づいて、下りリンクのチャネル状態を測定する測定部とを備えたことを特徴とする移動端末装置。
【請求項１３】
複数のアンテナからチャネル状態の測定用の参照信号を受信可能な第１の移動端末装置と、前記第１の移動端末装置よりも少数のアンテナからの前記参照信号を受信可能な第２の移動端末装置とに対し、前記参照信号を送信する基地局装置の通信制御方法であって、
前記参照信号の送信用に規定されたミューティング可能な参照信号用リソースに、少なくとも前記第１の移動端末装置が対応するアンテナ数分の前記参照信号を割り当てるステップと、
前記第１の移動端末装置に対しては、前記参照信号が割り当てられるリソースを通知し、前記第２の移動端末装置に対しては、前記参照信号が割り当てられるリソースを通知する際に、一部のリソースをミューティングされるリソースとして通知するステップとを含むことを特徴とする通信制御方法。
【発明の詳細な説明】
【技術分野】
【０００１】
本発明は、次世代移動通信システムにおける基地局装置、移動端末装置、及び通信制御方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ−Ａ」という）。したがって、将来的には、これら複数の移動通信システムが並存することが予想され、これらの複数のシステムに対応できる構成（基地局装置や移動端末装置など）が必要となることが考えられる。
【０００４】
ＬＴＥのシステム（例えば、Rel.8）の下りリンクにおいて、ＣＲＳ（Cell-specific  Reference  Signal）が定められている。このＣＲＳは、ユーザデータの復調に用いられる他、スケジューリングや適応制御のための下りリンクのチャネル品質（CQI：Channel  Quality  Indicator）測定、並びに、セルサーチやハンドオーバのための下りの平均的な伝搬路状態の測定（モビリティ測定）に用いられる。一方、ＬＴＥの後継システム（例えば、Rel.10）の下りリンクにおいては、ＣＳＩ（Channel  State  Information）測定専用にＣＳＩ-ＲＳ（Channel  State  Information  −  Reference  Signal）が検討されている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、このようなシステム（例えば、Rel.10）の移動端末装置は、複数のアンテナによるＭＩＭＯ（Multiple-Input  Multiple-Output）送信が可能となっている。ＭＩＭＯ送信では、基地局装置のアンテナ（Ｔｘ）数に応じた数のＣＳＩ−ＲＳが移動端末装置に送信される。将来のシステムでは、さらに多くのアンテナによるＭＩＭＯ送信がサポートされ、ＣＳＩ−ＲＳ等の参照信号数も増加することが想定される。
【０００７】
本発明はかかる点に鑑みてなされたものであり、アンテナの増加に伴って参照信号数が増加した場合であっても、参照信号を適切に送受信できる基地局装置、移動端末装置及び通信制御方法を提供することを目的とする。
【課題を解決するための手段】
【０００８】
本発明の基地局装置は、複数のアンテナからのチャネル状態の測定用の参照信号を受信可能な第１の移動端末装置と、前記第１の移動端末装置よりも少数のアンテナからの前記参照信号を受信可能な第２の移動端末装置とに対し、前記参照信号を送信する基地局装置であって、前記参照信号の送信用に規定されたミューティング可能な参照信号用リソースに、少なくとも前記第１の移動端末装置が対応するアンテナ数分の前記参照信号を割り当てる参照信号割当部と、前記第１の移動端末装置に対しては、前記参照信号が割り当てられるリソースを通知し、前記第２の移動端末装置に対しては、前記参照信号が割り当てられるリソースを通知する際に、一部のリソースをミューティングされるリソースとして通知する参照信号通知部とを備えたことを特徴とする。
【発明の効果】
【０００９】
本発明によれば、多数のアンテナからの参照信号を受信可能な第１の移動端末装置と、第１の移動端末装置よりも少数のアンテナからの参照信号を受信可能な第２の移動端末装置とに対してそれぞれ参照信号を通知できる。また、第１の移動端末装置は、基地局装置の複数のアンテナからの参照信号を受信してチャネル状態を推定できる。第２の移動端末装置は、基地局装置の複数のアンテナからの参照信号を受信し、ミューティングとして通知されたリソースの参照信号を無視して、一部の参照信号からチャネル状態を測定できる。よって、第２の移動端末装置は、基地局装置のアンテナ数の増加による影響を受けることなく参照信号を測定できる。
【図面の簡単な説明】
【００１０】
【図１】リソースブロックにおけるＣＳＩ-ＲＳの割り当てパターンの説明図である。
【図２】ＣＳＩ-ＲＳを用いたＣＱＩ測定におけるミューティングの説明図である。
【図３】ミューティング通知方法の一例を示す図である。
【図４】基地局装置を４ＴｘＭＩＭＯ送信から８ＴｘＭＩＭＯ送信に変更した場合のＣＳＩ−ＲＳの配置構成の一例を示す図である。
【図５】ＣＳＩ−ＲＳの位置情報の通知方法の一例を示す図である。
【図６】ＣＳＩ−ＲＳの位置情報の通知方法の他の一例を示す図である。
【図７】無線通信システムのシステム構成の説明図である。
【図８】基地局装置の全体構成の説明図である。
【図９】移動端末装置の全体構成の説明図である。
【図１０】基地局装置による第１の通知方法に対応した機能ブロック図である。
【図１１】４Ｔｘ、８Ｔｘ移動端末装置による第１の通知方法に対応した機能ブロック図である。
【図１２】基地局装置による第２の通知方法に対応した機能ブロック図である。
【図１３】４Ｔｘ、８Ｔｘ移動端末装置による第２の通知方法に対応した機能ブロック図である。
【発明を実施するための形態】
【００１１】
まず、図１を参照して、ＬＴＥの後継システム（例えば、Rel.10）で適用される参照信号の１つであるＣＳＩ-ＲＳについて説明する。ＣＳＩ−ＲＳは、チャネル状態としてのＣＱＩ（Channel  Quality  Indicator）、ＰＭＩ（Precoding  Matrix  Indicator）、ＲＩ（Rank  Indicator）等のＣＳＩ測定に用いられる参照信号である。ＣＳＩ−ＲＳは、全てのサブフレームに割り当てられるＣＲＳと異なり、所定の周期、例えば１０サブフレーム周期で割り当てられる。また、ＣＳＩ-ＲＳは、位置、系列および送信電力というパラメータで特定される。ＣＳＩ-ＲＳの位置には、サブフレームオフセット、周期、サブキャリア−シンボルオフセット（インデックス）が含まれる。
【００１２】
ＣＳＩ-ＲＳは、ＬＴＥで規定される１リソースブロックにおいて、ＰＤＣＣＨ（Physical  Downlink  Control  Channel）等の制御信号、ＰＤＳＣＨ（Physical  Downlink  Shared  Channel）等のユーザデータ、ＣＲＳ（Cell-specific  Reference  Signal）やＤＭ−ＲＳ（Demodulation  −  Reference  Signal）等の他の参照信号と重ならないように割り当てられる。１リソースブロックは、周波数方向に連続する１２サブキャリアと、時間軸方向に連続する１４シンボルとで構成される。ＰＡＰＲを抑制する観点から、ＣＳＩ-ＲＳを送信可能なリソースは、時間軸方向に隣接する２つのリソースエレメントがセットで割り当てられる。
【００１３】
図１に示されるＣＳＩ-ＲＳ構成では、ＣＳＩ-ＲＳ用リソース（参照信号用リソース）として４０リソースエレメントが確保されている。この４０リソースエレメントには、ＣＳＩ-ＲＳポート数（アンテナ数等）に応じてＣＳＩ-ＲＳパターンが設定される。各ＣＳＩ−ＲＳパターンでは、１つのＣＳＩ−ＲＳポートにつき、１つのリソースエレメントがＣＳＩ−ＲＳ用に割り当てられる。ＣＳＩ-ＲＳポート数が２の場合、４０リソースエレメントの中の２つのリソースエレメントにＣＳＩ-ＲＳが割り当てられる。よって、図１Ａでは、インデックス＃０−＃１９（CSI  Configuration＝0-19）で示される２０パターンのＣＳＩ−ＲＳパターンが設定される。ここでは、説明の便宜上、１パターンを構成するリソースエレメントに同一のインデックスを付している。
【００１４】
ＣＳＩ-ＲＳポート数が４の場合、４０リソースエレメントの中の４つのリソースエレメントにＣＳＩ-ＲＳが割り当てられる。よって、図１Ｂでは、インデックス＃０−＃９（CSI  Configuration＝0-9）で示される１０パターンのＣＳＩ−ＲＳパターンが設定される。ＣＳＩ-ＲＳポート数が８の場合、４０リソースエレメントの中の８つのリソースエレメントにＣＳＩ-ＲＳが割り当てられる。よって、図１Ｃに示すように、インデックス＃０−＃４（CSI  Configuration＝0-4）で示される５パターンのＣＳＩ−ＲＳパターンが設定される。なお、ＣＳＩ−ＲＳパターンにおいて、ＣＳＩ−ＲＳが割り当てられなかったリソースエレメントには、ユーザデータ等が割り当てられる。
【００１５】
そして、ＣＳＩ−ＲＳは、セル毎に異なるＣＳＩ−ＲＳパターン（CSI  Configuration）が選択されることで、セル間での干渉が抑えられている。また、ＣＳＩ-ＲＳパターンは、図１Ａ−Ｃに示すＦＤＤのノーマルパターンの他、図１Ｄに示すように、ＦＤＤのオプションとしてＴＤＤのアディショナルパターンを加えたパターンでもよい。また、ＦＤＤのノーマルパターンを拡張した不図示のエクステンデッドパターンでもよい。以下の説明では、説明の便宜上、ＦＤＤのノーマルパターンを例示して説明する。
【００１６】
ところで、ＣＳＩ−ＲＳを用いたＣＳＩ測定においては、隣接セルからのデータ干渉により測定精度が劣化する場合がある。例えば、図２Ａに示すように、セルＣ１の下りリンクのリソースブロックに、隣接セルＣ２のＣＳＩ−ＲＳに対応してユーザデータが割り当てられている。また、セルＣ２の下りリンクのリソースブロックに、隣接セルＣ１のＣＳＩ−ＲＳに対応してユーザデータが割り当てられている。これらユーザデータは、各セルにおけるＣＳＩ−ＲＳの干渉成分を構成し、セルＣ１及びセルＣ２の境界に位置する移動端末装置におけるＣＳＩの測定精度を劣化させる要因となる。
【００１７】
ユーザデータの割り当て位置に起因するＣＳＩの測定精度の劣化を改善するため、ミューティングが検討されている。ミューティングにおいては、図２Ｂに示すように、隣接セルのＣＳＩ−ＲＳに対応するリソースにユーザデータが割り当てられない。セルＣ１の下りリンクのリソースブロックは、セルＣ２のＣＳＩ−ＲＳに対応してミューティングされる。また、セルＣ２の下りリンクのリソースブロックは、セルＣ１のＣＳＩ−ＲＳに対応してミューティングされる。
【００１８】
この構成により、隣接セルのユーザデータに起因するＣＳＩ−ＲＳの干渉成分を排除して、移動端末装置におけるＣＳＩの測定精度を改善する。隣接セル間で相互にミューティングを行う場合には、隣接セルのために自セルのデータチャネルを無送信とすることから、移動端末装置に対してミューティングの位置を通知する必要がある。これは、基地局装置がミューティングされるリソースを避けてレートマッチングするため、移動端末装置がミューティングされるリソースを認識してデレートマッチングする必要があるためである。移動端末装置が、ミューティングされるリソースを認識しないと、ミューティングされるリソースに対しても復調処理がされるため、復調処理のスループットおよび復調精度が劣化する。
【００１９】
なお、ミューティングされるリソースは、全くデータが割り当てられないリソースとして規定されてもよいし、隣接セルのＣＳＩ−ＲＳに干渉を与えない程度にデータが割り当てられるリソースとして規定されてもよい。さらに、ミューティングされたリソースは、隣接セルのＣＳＩ−ＲＳに対して干渉を与えない程度の送信電力で送信されるリソースとして規定されてもよい。
【００２０】
基地局装置が、移動端末装置に対してミューティングを通知する場合には、ＣＳＩ−ＲＳパターンを用いて通知する。この場合、ＣＳＩ−ＲＳパターンにナンバリングされるインデックス（CSI  Configuration）とミューティングの有無とを１対１で対応付けしたビットマップ形式でミューティングを通知してもよい。また、ミューティングの通知とＣＳＩ−ＲＳの通知とで、ＣＳＩ−ＲＳポート数が異なるＣＳＩ−ＲＳパターンを使用してもよい。
【００２１】
図３では、４送信ポート（Ｔｘ）のＭＩＭＯ送信をサポートする移動端末装置に対してミューティングを通知する例を示している。図３に示すように、インデックス＃６（CSI  Configuration=6）で示されるＣＳＩ−ＲＳ用リソースにミューティングが設定されている。この場合、図１Ｄに示すＦＤＤのノーマルパターンにＴＤＤのアディショナルパターンを加えたインデックス［＃０−＃９、＃２０−＃２５］（CSI  Configuration=0-9,20-25）に対応させて、１６ビットのビットマップ情報［００００００１０００００００００］が通知される。ビットマップ情報では、ミューティングされるリソースには“１”がセットされ、ミューティングされないリソースには“０”がセットされる。また、基地局装置は、ビットマップ情報の他に、送信周期（Duty  Cycle）、サブフレームオフセットを移動端末装置に対して通知する。
【００２２】
また、基地局装置は、４ＴｘＭＩＭＯをサポートする移動端末装置に対しては、ＣＳＩ−ＲＳポート数が４の場合のＣＳＩ−ＲＳパターンを用いてＣＳＩ−ＲＳを通知している。ここでは、図１Ｂのインデックス＃１（CSI  Configuration=1）で示されるＣＳＩ−ＲＳ用リソースにＣＳＩ−ＲＳが割り当てられる。基地局装置は、ミューティング情報に加えてＣＳＩ−ＲＳが割り当てられるリソースを移動端末装置に対して通知する。
【００２３】
ところで、ＬＴＥの後継システム（例えば、Rel.10以降）の移動端末装置では、２ＴｘＭＩＭＯ送信、４ＴｘＭＩＭＯ送信、８ＴｘＭＩＭＯ送信がサポートされる。しかしながら、８ＴｘＭＩＭＯ送信は、移動端末装置に対して選択的に利用される可能性がある。この場合、後継システムの運用開始時においては移動端末装置が、２ＴｘＭＩＭＯ送信、４ＴｘＭＩＭＯ送信をサポートするが、８ＴｘＭＩＭＯ送信をサポートしない可能性がある。このため、後継システムの運用開始時に４ＴｘＭＩＭＯ送信をサポートしていた基地局装置が８ＴｘＭＩＭＯ送信用にアップグレードされた場合、８ＴｘＭＩＭＯ送信をサポートしない移動端末装置との通信が問題となる。
【００２４】
４ＴｘＭＩＭＯ送信をサポートする移動端末装置（以下、４Ｔｘ移動端末装置とする）と、８ＴｘＭＩＭＯ送信をサポートする移動端末装置（以下、８Ｔｘ移動端末装置とする）とではシグナリングが異なる。よって、４Ｔｘ移動端末装置は、８Ｔｘ用のシグナリングをサポートしていないので、基地局装置に接続できないおそれがある。また、図４に示すように、基地局装置が４ＴｘＭＩＭＯ送信用から８ＴｘＭＩＭＯ送信用にアップグレードされると、ＣＳＩ−ＲＳポート数が４から８に増加する。したがって、４Ｔｘ移動端末装置は、８ＴｘＭＩＭＯ送信用の基地局装置に接続できた場合でも、増加分のＣＳＩ−ＲＳを認識できずユーザデータの復調時に干渉となり受信特性が大幅に劣化する。
【００２５】
例えば、図４の例では、基地局装置が４ＴｘＭＩＭＯ送信用から８ＴｘＭＩＭＯ送信用にアップグレードされると、「０−３」に示すＣＳＩ−ＲＳに加えて「４−７」に示すＣＳＩ−ＲＳがＣＳＩ−ＲＳ用リソースに割り当てられる。なお、図４の「０−７」はＣＳＩ−ＲＳポート番号を示す。基地局装置は、８Ｔｘ移動端末装置に対しては、「０−７」に示すＣＳＩ−ＲＳの位置情報を通知できるが、４Ｔｘ移動端末装置に対しては、「４−７」に示すＣＳＩ−ＲＳを通知できない。
【００２６】
そこで、本発明者らは、これらの問題を解決するために、本発明に至った。すなわち、本発明の骨子は、新たな移動端末装置（例えば、８Ｔｘ移動端末装置）に対しては、アンテナ数分のＣＳＩ−ＲＳが割り当てられるリソースを通知し、既存の移動端末装置（例えば、４Ｔｘ移動端末装置）に対しては、ミューティングによって増加分を除いたＣＳＩ−ＲＳが割り当てられるリソースを通知することである。こうすることで、基地局装置が４ＴｘＭＩＭＯ送信用から８ＴｘＭＩＭＯ送信用にアップグレードされても、８ＴｘＭＩＭＯ送信をサポートしない４Ｔｘ移動端末装置がＣＳＩ−ＲＳを適切に受信できる。
【００２７】
ここで、本実施の形態におけるＣＳＩ−ＲＳの位置情報の通知方法について説明する。図５は、ＣＳＩ−ＲＳの位置情報の通知方法の一例を示す図である。なお、以下の説明では、４Ｔｘ移動端末装置及び８Ｔｘ移動端末装置は、同一セル内に位置するものとする。また以下の説明では、基地局装置が４ＴｘＭＩＭＯ送信用から８ＴｘＭＩＭＯ送信用にアップグレードされる構成を例示して説明するが、適宜変更が可能である。例えば、基地局装置が２ＴｘＭＩＭＯ送信用から８ＴｘＭＩＭＯ送信用にアップグレードされる構成としてもよい。
【００２８】
図５Ａは、８Ｔｘ移動端末装置に対するＣＳＩ−ＲＳの割り当て例を示している。ここでは、１リソースブロック内にＣＳＩ−ＲＳ用リソースとして４０リソースエレメントが確保されている。また、１つのアンテナ（送信ポート）につき１つのリソースエレメントがＣＳＩ−ＲＳ用に割り当てられている。８Ｔｘ移動端末装置には、ＣＳＩ−ＲＳポート数＝８のＣＳＩ−ＲＳパターン（図１Ｃ参照）を用いて通知される。ここでは、インデックス＃１（CSI  Configuration=1）で示されるリソースにＣＳＩ−ＲＳが割り当てられている。
【００２９】
なお、本実施の形態では、１リソースブロック内で、１つのアンテナにつき１つのＣＳＩ−ＲＳが割り当てられるが、１つのアンテナにつき複数のＣＳＩ−ＲＳが割り当てられるようにしてもよい。また、ＣＳＩ−ＲＳの割り当ては、ＣＳＩ−ＲＳのセル間干渉を抑制するため、隣接セルのＣＳＩ−ＲＳを避けて割り当てられる。この場合、セル間のＣＳＩ−ＲＳの位置情報は、隣接する基地局装置間で予め規定されてもよいし、隣接する基地局装置間で動的に変更されてもよい。
【００３０】
一方、図５Ｂに示すように、４Ｔｘ移動端末装置は、４ＴｘＭＩＭＯ送信をサポートするため、１リソースブロック内で４つのＣＳＩ−ＲＳを受信可能となっている。このため、４Ｔｘ移動端末装置は、リソースブロック内に割り当てられる全てのＣＳＩ−ＲＳを受信できない。そこで、基地局装置は、４Ｔｘ移動端末装置に対しては、増加分のＣＳＩ−ＲＳが割り当てられるリソースをミューティングされるリソースとして通知する。ミューティングされるリソースは、図１Ｄに示すＣＳＩ−ＲＳパターンを用いて通知される。ここでは、インデックス＃６（CSI  Configuration=6）で示されるリソースがミューティングされているリソースとして通知される。
【００３１】
このリソースには、実際にはＣＳＩ−ＲＳが割り当てられるが、４Ｔｘ移動端末装置にはミューティングされるリソースとして認識される。よって、４Ｔｘ移動端末装置は、ミューティングとして通知されたリソースのＣＳＩ−ＲＳを無視して、インデックス＃１（CSI  Configuration=1）で示されるリソースのＣＳＩ−ＲＳだけを受信する。また、４Ｔｘ移動端末装置は、ユーザデータの復調時に、ミューティングとして認識されたリソースのＣＳＩ−ＲＳを無視するため、ユーザデータの復調精度及びスループットが低下することがない。
【００３２】
なお、本構成では、第１の通知方法及び第２の通知方法により基地局装置から移動端末装置にＣＳＩ−ＲＳの位置情報が通知できる。第１の通知方法は、ＣＳＩ−ＲＳの位置情報を基地局装置から４Ｔｘ、８Ｔｘ移動端末装置に対して個別に通知する方法である。第２の通知方法は、ＣＳＩ−ＲＳの位置情報を基地局装置から４Ｔｘ、８Ｔｘ移動端末装置に対して一斉に通知する方法である。
【００３３】
図５Ｃに示すように、第１の通知方法では、基地局装置は、８Ｔｘ移動端末装置に対しては、８Ｔｘ用のＣＳＩ−ＲＳパターンによりＣＳＩ−ＲＳの位置情報を個別に通知する。さらに、基地局装置は、４Ｔｘ移動端末装置に対しては、４Ｔｘ用のＣＳＩ−ＲＳパターンによりＣＳＩ−ＲＳの位置情報を個別に通知すると共に、増加分のＣＳＩ−ＲＳの位置情報に代えてミューティング情報を個別に通知する。
【００３４】
例えば、基地局装置は、ＣＳＩ−ＲＳパターンを示すCSI  Configuration情報により、４Ｔｘ、８Ｔｘ移動端末装置に対してＣＳＩ−ＲＳが配置されるリソースを個別に通知してもよい。図５Ａに示すように、基地局装置は、８Ｔｘ移動端末装置に対してはＣＳＩ−ＲＳの位置情報を通知するのに５通りのCSI  Configurationを使用する。基地局装置は、ＣＳＩ−ＲＳの位置情報としてインデックス＃１を示すCSI  Configuration=1を通知する。図５Ｂに示すように、基地局装置は、４Ｔｘ移動端末装置に対してはＣＳＩ−ＲＳの位置情報を通知するのに１０通りのCSI  Configurationを使用する。基地局装置は、ＣＳＩ−ＲＳの位置情報としてインデックス＃１を示すCSI  Configuration=1を通知すると共にミューティング情報を通知する。
【００３５】
この場合、基地局装置は、４Ｔｘ移動端末装置に対しては上記したビットマップ形式によりミューティング情報を個別に通知してもよい。基地局装置は、ノーマルパターンにアディショナルパターンを加えたインデックス［＃０−＃９、＃２０−＃２５］（CSI  Configuration=0-9,20-25）に対応させて、ミューティング情報として１６ビットのビットマップ情報［００００００１０００００００００］を通知する。ビットマップ情報では、ミューティングされるリソースには“１”がセットされ、ミューティングされないリソースには“０”がセットされる。なお、ビットマップ情報では、ミューティングリソースには“０”がセットされ、ミューティングされないリソースには“１”がセットされてもよい。また、ビットマップ情報を１６ビットで構成したが、アディショナルパターンを除いた１０ビットで構成してもよい。
【００３６】
図５Ｄに示すように、第２の通知方では、基地局装置は、４Ｔｘ用、８Ｔｘ用のＣＳＩ−ＲＳパターンにより４Ｔｘ、８Ｔｘ移動端末装置に対してＣＳＩ−ＲＳの位置情報を一斉に通知する。また、基地局装置は、４Ｔｘ用のミューティング情報を一斉に通知する。この場合、８Ｔｘ移動端末装置は、４Ｔｘ用の通知を無視して８Ｔｘ用のＣＳＩ−ＲＳの位置情報を取得する。また、４Ｔｘ移動端末装置は、８Ｔｘ用の通知を無視して４Ｔｘ用のＣＳＩ−ＲＳの位置情報及びミューティング情報を取得する。
【００３７】
例えば、基地局装置は、ＣＳＩ−ＲＳパターンを示すCSI  Configuration情報により、４Ｔｘ、８Ｔｘ移動端末装置に対してＣＳＩ−ＲＳが配置されるリソースを一斉に通知してもよい。基地局装置は、８Ｔｘ移動端末装置用にインデックス＃１を示すCSI  Configuration=1（図５Ａ参照）を通知すると共に、４Ｔｘ移動端末装置用にインデックス＃１を示すCSI  Configuration=1（図５Ｂ参照）を通知する。また、基地局装置は、４Ｔｘ、８Ｔｘ移動端末装置に対して、上述したビットマップ形式によりミューティング情報を一斉に通知してもよい。この場合、基地局装置は、ミューティング情報として１６ビットのビットマップ情報［００００００１０００００００００］を通知する。この４Ｔｘ用のミューティング情報は、８Ｔｘ移動端末装置では無視される。
【００３８】
また、基地局装置は、ＣＳＩ−ＲＳポート数＝８のＣＳＩ−ＲＳパターンにより、４Ｔｘ移動端末装置に全てのＣＳＩ−ＲＳの位置情報を通知してもよい。すなわち、４Ｔｘ移動端末装置に対して、８Ｔｘ移動端末装置のＣＳＩ―ＲＳのサブセットを利用させるように通知することで、ＣＳＩ−ＲＳの位置情報のシグナリング量を低減できる。この場合、基地局装置は、４Ｔｘ移動端末装置に対して一部のリソースのミューティング情報を通知する。なお、基地局装置は、４Ｔｘ移動端末装置にミューティング情報を通知しない構成とすることもできる。例えば、４Ｔｘ移動端末装置に対して、予めＣＳＩ−ＲＳを受信可能なリソースとミューティングとして認識するリソースとを設定する。これにより、４Ｔｘ移動端末装置は、例えば、１〜４本目のアンテナ（ＣＳＩ−ＲＳポート番号）からのＣＳＩ−ＲＳを受信し、５〜８本目のアンテナ（ＣＳＩ−ＲＳポート番号）からのＣＳＩ−ＲＳを無視できる。よって、ミューティング情報のシグナリング量を低減できる。
【００３９】
次に、図６を参照してＣＳＩ−ＲＳの位置情報の通知方法の他の一例について説明する。図６は、ＣＳＩ−ＲＳの位置情報の通知方法の他の一例を示す図である。なお、図６は、４Ｔｘ移動端末装置用のＣＳＩ−ＲＳと８Ｔｘ移動端末装置用のＣＳＩ−ＲＳとが異なるリソースに割り当てられる構成を示している。
【００４０】
図６Ａは、８Ｔｘ移動端末装置に対するＣＳＩ−ＲＳの割り当て例を示している。ここでは、１リソースブロック内にＣＳＩ−ＲＳ用リソースとして４０リソースエレメントが確保されている。８Ｔｘ移動端末装置は、１リソースブロック内で８つのＣＳＩ−ＲＳを受信可能となっている。ここでは、インデックス＃１（CSI  Configuration=1）で示されるリソースがＣＳＩ−ＲＳの位置情報として通知される。しかしながら、８Ｔｘ移動端末装置は、４Ｔｘ移動端末装置用のＣＳＩ−ＲＳを受信できない。よって、基地局装置は、８Ｔｘ移動端末装置に対しては、４Ｔｘ移動端末装置用のＣＳＩ−ＲＳのリソースをミューティングされるリソースとして通知する。ミューティングされるリソースは、図１Ｄに示すＣＳＩ−ＲＳパターンを用いて通知される。ここでは、インデックス＃０（CSI  Configuration=0）で示されるリソースがミューティングされているリソースとして通知される。
【００４１】
このリソースには、実際にはＣＳＩ−ＲＳが割り当てられるが、８Ｔｘ移動端末装置にはミューティングされるリソースとして認識される。よって、８Ｔｘ移動端末装置は、ミューティングとして通知されたリソースのＣＳＩ−ＲＳを無視して、インデックス＃１（CSI  Configuration=1）で示されるリソースのＣＳＩ−ＲＳだけを受信する。また、８Ｔｘ移動端末装置は、ユーザデータの復調時に、ミューティングとして認識されたリソースのＣＳＩ−ＲＳを無視するため、ユーザデータの復調精度及びスループットが低下することがない。
【００４２】
一方、図６Ｂに示すように、４Ｔｘ移動端末装置は、１リソースブロック内で４つのＣＳＩ−ＲＳを受信可能となっている。ここでは、インデックス＃０（CSI  Configuration=0）で示されるリソースがＣＳＩ−ＲＳの位置情報として通知される。しかしながら、４Ｔｘ移動端末装置は、８Ｔｘ移動端末装置用のＣＳＩ−ＲＳを受信できない。よって、基地局装置は、４Ｔｘ移動端末装置に対しては、８Ｔｘ移動端末装置用のＣＳＩ−ＲＳのリソースをミューティングされるリソースとして通知する。ミューティングされるリソースは、図１Ｄに示すＣＳＩ−ＲＳパターンを用いて通知される。ここでは、インデックス＃１、＃６（CSI  Configuration=1,6）で示されるリソースがミューティングされているリソースとして通知される。
【００４３】
このリソースには、実際にはＣＳＩ−ＲＳが割り当てられるが、４Ｔｘ移動端末装置にはミューティングされるリソースとして認識される。よって、４Ｔｘ移動端末装置は、ミューティングとして通知されたリソースのＣＳＩ−ＲＳを無視して、インデックス＃０（CSI  Configuration=0）で示されるリソースのＣＳＩ−ＲＳだけを受信する。また、４Ｔｘ移動端末装置は、ユーザデータの復調時に、ミューティングとして認識されたリソースのＣＳＩ−ＲＳを無視するため、ユーザデータの復調精度及びスループットが低下することがない。
【００４４】
なお、本構成においても、第１の通知方法及び第２の通知方法により基地局装置から移動端末装置にＣＳＩ−ＲＳの位置情報が通知できる。第１の通知方法は、ＣＳＩ−ＲＳの位置情報を基地局装置から４Ｔｘ、８Ｔｘ移動端末装置に対して個別に通知する方法である。第２の通知方法は、ＣＳＩ−ＲＳの位置情報を基地局装置から４Ｔｘ、８Ｔｘ移動端末装置に対して一斉に通知する方法である。
【００４５】
図６Ｃに示すように、第１の通知方法では、基地局装置は、８Ｔｘ移動端末装置に対しては、８Ｔｘ用のＣＳＩ−ＲＳパターンによりＣＳＩ−ＲＳの位置情報を個別に通知すると共に、ミューティング情報を個別に通知する。さらに、基地局装置は、４Ｔｘ移動端末装置に対しては、４Ｔｘ用のＣＳＩ−ＲＳパターンによりＣＳＩ−ＲＳの位置情報を個別に通知すると共に、ミューティング情報を個別に通知する。
【００４６】
例えば、基地局装置は、ＣＳＩ−ＲＳパターンを示すCSI  Configuration情報により、４Ｔｘ、８Ｔｘ移動端末装置に対してＣＳＩ−ＲＳが配置されるリソースを個別に通知してもよい。図６Ａに示すように、基地局装置は、８Ｔｘ移動端末装置に対しては、インデックス＃１を示すCSI  Configuration=1を通知する。図６Ｂに示すように、基地局装置は、４Ｔｘ移動端末装置に対しては、インデックス＃０を示すCSI  Configuration=0を通知する。
【００４７】
また、基地局装置は、４Ｔｘ、８Ｔｘ移動端末装置に対しては上記したビットマップ形式によりミューティング情報を個別に通知してもよい。基地局装置は、８Ｔｘ移動端末装置に対しては１６ビットのビットマップ情報［１０００００００００００００００］を通知する。また、基地局装置は、４Ｔｘ移動端末装置に対しては１６ビットのビットマップ情報［０１００００１０００００００００］を通知する。
【００４８】
図６Ｄに示すように、第２の通知方法では、基地局装置は、４Ｔｘ用、８Ｔｘ用のＣＳＩ−ＲＳパターンにより４Ｔｘ、８Ｔｘ移動端末装置に対してＣＳＩ−ＲＳの位置情報を一斉に通知する。また、基地局装置は、４Ｔｘ用、８Ｔｘ用のミューティング情報をそれぞれ一斉に通知する。この場合、８Ｔｘ移動端末装置は、４Ｔｘ用の通知を無視して８Ｔｘ用のＣＳＩ−ＲＳの位置情報及びミューティング情報を取得する。また、４Ｔｘ移動端末装置は、８Ｔｘ用の通知を無視して４Ｔｘ用のＣＳＩ−ＲＳの位置情報及びミューティング情報を取得する。
【００４９】
例えば、基地局装置は、ＣＳＩ−ＲＳパターンを示すCSI  Configuration情報により、４Ｔｘ、８Ｔｘ移動端末装置に対してＣＳＩ−ＲＳが配置されるリソースを一斉に通知してもよい。基地局装置は、８Ｔｘ移動端末装置用としてインデックス＃１を示すCSI  Configuration=1（図６Ａ参照）を通知すると共に、４Ｔｘ移動端末装置用としてインデックス＃０を示すCSI  Configuration=0（図６Ｂ）を通知する。
【００５０】
また、基地局装置は、４Ｔｘ、８Ｔｘ移動端末装置に対して、上述したビットマップ形式によりミューティング情報を一斉に通知してもよい。この場合、基地局装置は、８Ｔｘ移動端末装置用に１６ビットのビットマップ情報［１０００００００００００００００］を通知すると共に、４Ｔｘ移動端末装置用に１６ビットのビットマップ情報［０１００００１０００００００００］を通知する。８Ｔｘ用のミューティング情報は、４Ｔｘ移動端末装置では無視され、４Ｔｘ用のミューティング情報は、８Ｔｘ移動端末装置では無視される。
【００５１】
この場合、基地局装置から４Ｔｘ、８Ｔｘ移動端末装置にミューティング情報が通知される構成に代えて、４Ｔｘ、８Ｔｘ移動端末装置に自装置以外のＣＳＩ−ＲＳが割り当てられるリソースをミューティングされるリソースとして認識させてもよい。この場合には、予め４Ｔｘ、８Ｔｘ移動端末装置に対して４Ｔｘ用、８Ｔｘ用の両方の通知を受信できるように設定を行う。これにより、ミューティング情報のシグナリング量を低減することができる。
【００５２】
なお、上記に例示した各構成では、基地局装置は、ＣＳＩ−ＲＳが配置されるリソース、ミューティングリソースの他に、送信周期（Duty  Cycle）、サブフレームオフセット等を４Ｔｘ、８Ｔｘ移動端末装置に対して通知する。また、これらＣＳＩ−ＲＳの位置情報等は、ハイヤレイヤシグナリングで通知されてもよいし、報知チャネル、制御チャネル、データチャネルで通知されてもよい。
【００５３】
また、上記に例示した各構成では、第１、第２の通知方法が上記方法に限定されない。例えば、基地局装置は、４Ｔｘ、８Ｔｘ移動端末装置に対してビットマップ形式によりＣＳＩ−ＲＳの位置情報を通知してもよい。また、基地局装置は、４Ｔｘ、８Ｔｘ移動端末装置に対してＣＳＩ−ＲＳパターンを示すCSI  Configuration情報によりミューティング情報を通知してもよい。また、個別通知と一斉通知とを組み合わせて通知してもよい。
【００５４】
また、図５及び図６に示すＣＳＩ−ＲＳパターンにナンバリングされたインデックスは、一例であり適宜変更が可能である。また、４Ｔｘ用、８Ｔｘ用の通知は、識別ビット等により各移動端末装置に識別されてもよい。また、８Ｔｘ移動端末装置は、新たな移動端末装置に限定されず、基地局装置に適用されたＭＩＭＯ送信をサポートした移動端末装置であればよい。また、４Ｔｘ移動端末装置は、既存の移動端末装置に限定されず、基地局装置に適用されたＭＩＭＯ送信をサポートしない、または選択的にサポートした移動端末装置であればよい。
【００５５】
ここで、本実施の形態に係る無線通信システムについて詳細に説明する。図７は、本実施の形態に係る無線通信システムのシステム構成の説明図である。なお、図７に示す無線通信システムは、例えば、ＬＴＥシステム或いは、その後継システムが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００５６】
図７に示すように、無線通信システム１は、基地局装置２０Ａ、２０Ｂと、この基地局装置２０Ａ、２０Ｂと通信する複数の８Ｔｘ、４Ｔｘ移動端末装置１０Ａ、１０Ｂとを含んで構成されている。基地局装置２０Ａ、２０Ｂは、上位局装置３０と接続され、この上位局装置３０は、コアネットワーク４０と接続される。また、基地局装置２０Ａ、２０Ｂは、有線接続又は無線接続により相互に接続されている。各移動端末装置１０Ａ、１０Ｂは、セルＣ１、Ｃ２において基地局装置２０Ａ、２０Ｂと通信を行うことができる。なお、上位局装置３０には、例えば、アクセスゲートウェイ装置、無線ネットワークコントローラ（RNC）、モビリティマネジメントエンティティ（MME）等が含まれるが、これに限定されない。
【００５７】
各移動端末装置１０Ａ、１０Ｂは、ＬＴＥ端末及びＬＴＥ−Ａ端末を含むが、以下においては、特段の断りがない限り４Ｔｘ、８Ｔｘ移動端末装置として説明を進める。また、説明の便宜上、基地局装置２０Ａ、２０Ｂと無線通信するのは各移動端末装置１０Ａ、１０Ｂであるものとして説明するが、より一般的には移動端末装置も固定端末装置も含むユーザ装置（UE：User  Equipment）でよい。
【００５８】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５９】
ここで、通信チャネルについて説明する。
下りリンクの通信チャネルは、各移動端末装置１０Ａ、１０Ｂで共有される下りデータチャネルとしてのＰＤＳＣＨ（Physical  Downlink  Shared  Channel）と、下りＬ１／Ｌ２制御チャネル（PDCCH、PCFICH、PHICH）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００６０】
上りリンクの通信チャネルは、各移動端末装置で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（CQI：Channel  Quality  Indicator）、ＡＣＫ/ＮＡＣＫ等が伝送される。
【００６１】
図８を参照しながら、本実施の形態に係る基地局装置の全体構成について説明する。なお、基地局装置２０Ａ、２０Ｂは、同様な構成であるため、基地局装置２０として説明する。また、各移動端末装置１０Ａ、１０Ｂも、同様な構成であるため、移動端末装置１０として説明する。基地局装置２０は、ＭＩＭＯ伝送のための複数の送受信アンテナ２０１と、アンプ部２０２と、送受信部（通知部）２０３と、ベースバンド信号処理部２０４と、呼処理部２０５と、伝送路インターフェース２０６とを備えている。
【００６２】
下りリンクにより基地局装置２０から移動端末装置１０に送信されるユーザデータは、上位局装置３０から伝送路インターフェース２０６を介してベースバンド信号処理部２０４に入力される。
【００６３】
ベースバンド信号処理部２０４では、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われて各送受信部２０３に転送される。また、下りリンクの制御チャネルの信号に関しても、チャネル符号化や逆高速フーリエ変換等の送信処理が行われて、各送受信部２０３に転送される。
【００６４】
また、ベースバンド信号処理部２０４は、報知チャネルにより、移動端末装置１０に対して、当該セルにおける通信のための制御情報を通知する。当該セルにおける通信のための情報には、例えば、上りリンク又は下りリンクにおけるシステム帯域幅、移動端末装置１０に割当てたリソースブロック情報、移動端末装置１０におけるプリコーディングのためのプリコーディング情報、ＰＲＡＣＨ（Physical  Random  Access  Channel）におけるランダムアクセスプリアンブルの信号を生成するためのルート系列の識別情報（Root  Sequence  Index）等が含まれる。プリコーディング情報はＰＨＩＣＨのような独立の制御チャネルを介して送信されてもよい。
【００６５】
各送受信部２０３は、ベースバンド信号処理部２０４からアンテナ毎にプリコーディングして出力されたベースバンド信号を無線周波数帯に変換する。アンプ部２０２は、周波数変換された無線周波数信号を増幅して送受信アンテナ２０１により送信する。
【００６６】
一方、上りリンクにより移動端末装置１０から基地局装置２０に送信されるデータについては、各送受信アンテナ２０１で受信された無線周波数信号がそれぞれアンプ部２０２で増幅され、各送受信部２０３で周波数変換されてベースバンド信号に変換され、ベースバンド信号処理部２０４に入力される。
【００６７】
ベースバンド信号処理部２０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２０６を介して上位局装置３０に転送される。
【００６８】
呼処理部２０５は、通信チャネルの設定や解放等の呼処理や、基地局装置２０の状態管理や、無線リソースの管理を行う。
【００６９】
次に、図９を参照しながら、本実施の形態に係る移動端末装置の全体構成について説明する。ＬＴＥ端末もＬＴＥ-Ａ端末もハードウエアの主要部構成は同じであるので、区別せずに説明する。移動端末装置１０は、ＭＩＭＯ伝送のための複数の送受信アンテナ１０１と、アンプ部１０２と、送受信部１０３と、ベースバンド信号処理部１０４と、アプリケーション部１０５とを備えている。
【００７０】
下りリンクのデータについては、複数の送受信アンテナ１０１で受信された無線周波数信号がそれぞれアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報もアプリケーション部１０５に転送される。
【００７１】
一方、上りリンクのユーザデータについては、アプリケーション部１０５からベースバンド信号処理部１０４に入力される。ベースバンド信号処理部１０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部１０３に転送される。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１により送信する。
【００７２】
図１０を参照して、第１の通知方法に対応した基地局装置の機能ブロックについて説明する。なお、図１０の各機能ブロックは、主にベースバンド処理部の処理内容を簡略化して示しており、ベースバンド処理部において通常備える構成を備えるものとする。また、以下の説明では、主に図５に示すＣＳＩ−ＲＳの割当構成に対応させて説明する。
【００７３】
図１０に示す第１の通知方法では、基地局装置２０は、ＣＳＩ−ＲＳ割当部２１１と、ＣＳＩ−ＲＳ位置情報生成部２１２と、ミューティング情報生成部２１３と、ＣＳＩ−ＲＳパラメータ生成部２１４と、下り制御信号生成部２１５と、性能情報取得部２１７と、送受信部２０３とを有している。性能情報取得部２１７は、各移動端末装置１０Ａ、１０Ｂからのシグナリング（UE  Capability）により性能情報を取得する。性能情報は、例えば、各移動端末装置１０Ａ、１０Ｂのサポート可能なＭＩＭＯ送信、サポート可能なアンテナ数等である。
【００７４】
ＣＳＩ−ＲＳ割当部２１１は、８ＴｘのＣＳＩ−ＲＳ用リソースにＣＳＩ−ＲＳを割り当てる。これにより、８Ｔｘ移動端末装置１０Ａだけでなく、４Ｔｘ移動端末装置１０Ｂに対してもＣＳＩ−ＲＳが割り当てられる。なお、ＣＳＩ−ＲＳ割当部２１１は、異なるＭＩＭＯ送信をサポートする各移動端末装置１０Ａ、１０Ｂに対して、異なるリソースにＣＳＩ−ＲＳを割り当ててもよい。
【００７５】
ＣＳＩ−ＲＳ位置情報生成部２１２は、ＣＳＩ−ＲＳ割当部２１１によって割り当てられたＣＳＩ−ＲＳの位置情報を生成する。ＣＳＩ−ＲＳの位置情報としては、ＣＳＩ−ＲＳが割り当てられるリソースの他に、送信周期（Duty  Cycle）、サブフレームオフセット等が含まれる。ＣＳＩ−ＲＳが割り当てられるリソースは、CSI  Configuration情報やビットマップ情報等により特定される。ＣＳＩ−ＲＳの位置情報は、移動端末装置毎に個別に生成され、ＣＳＩ−ＲＳパラメータの一つとして下り制御信号生成部２１５に入力される。
【００７６】
ミューティング情報生成部２１３は、移動端末装置に対し、余分なＣＳＩ−ＲＳが割り当てられるリソースをミューティングされるリソースとして認識させるミューティング情報を生成する。このミューティング情報に示されるリソースは、実際にはＣＳＩ−ＲＳが割り当てられており、ミューティングされていない。ミューティング情報としては、ビットマップ情報やCSI  Configurationが生成される。ミューティング情報は、性能情報取得部２１７で取得された性能情報に基づいて、移動端末装置毎に個別に生成され、下り制御信号生成部２１５に入力される。
【００７７】
ＣＳＩ−ＲＳパラメータ生成部２１４は、ＣＳＩ−ＲＳの位置情報以外のＣＳＩ−ＲＳの系列や送信電力等のパラメータを生成する。ＣＳＩ−ＲＳパラメータ生成部２１４に生成されたＣＳＩ−ＲＳパラメータは、下り制御信号生成部２１５に入力される。
【００７８】
下り制御信号生成部２１５は、ＣＳＩ−ＲＳの位置情報、ＣＳＩ−ＲＳパラメータ、ミューティング情報を含めて、各移動端末装置１０Ａ、１０Ｂのそれぞれに対して下り制御信号を生成する。これにより、８Ｔｘ移動端末装置１０Ａに対しては、８Ｔｘ用のＣＳＩ−ＲＳの位置情報によってＣＳＩ−ＲＳが割り当てられた全てのリソースが個別に通知される。また、４Ｔｘ移動端末装置１０Ｂに対しては、４Ｔｘ用のＣＳＩ−ＲＳの位置情報によって一部のＣＳＩ−ＲＳのリソースと、ミューティング情報によって残りのＣＳＩ−ＲＳとが個別に通知される。送受信部２０３は、ＣＳＩ−ＲＳ及び下り制御信号を各移動端末装置１０Ａ、１０Ｂに送信する。
【００７９】
図１１を参照して、第１の通知方法に対応した４Ｔｘ、８Ｔｘ移動端末装置の機能ブロックについて説明する。なお、図１１の各機能ブロックは、主にベースバンド処理部の処理内容を簡略化して示しており、ベースバンド処理部において通常備える構成を備えるものとする。
【００８０】
図１１に示すように、８Ｔｘ移動端末装置１０Ａは、送受信部１０３Ａと、取得部１１１Ａと、測定部１１２Ａと、ユーザデータ復調部１１３Ａとを有している。送受信部１０３Ａは、基地局装置２０からＣＳＩ−ＲＳ及び下り制御信号を受信する。取得部１１１Ａは、下り制御信号を復調して信号の中身を解析することで、ＣＳＩ−ＲＳの位置情報及びＣＳＩ−ＲＳパラメータを取得する。なお、取得部１１１Ａは、下り制御信号にミューティング情報が含まれる場合には、ミューティング情報を取得することも可能である。
【００８１】
測定部１１２Ａは、ＣＳＩ−ＲＳの位置情報、系列、送信電力等のパラメータからＣＳＩを測定する。ユーザデータ復調部１１３Ａは、送受信部１０３Ａを介して受信したユーザデータを復調する。なお、８Ｔｘ移動端末装置１０Ａは、ハイヤレイヤシグナリングにより、ＣＳＩ−ＲＳの位置情報、ＣＳＩ−ＲＳパラメータを受信する構成としてもよい。また、ユーザデータ復調部１１３Ａは、下り制御信号にミューティング情報が含まれる場合には、ＣＳＩ−ＲＳの位置情報に示されるリソースと共にミューティング情報に示されるリソースを無視してユーザデータを復調する。
【００８２】
また、４Ｔｘ移動端末装置１０Ｂは、送受信部１０３Ｂと、取得部１１１Ｂと、測定部１１２Ｂと、ユーザデータ復調部１１３Ｂとを有している。送受信部１０３Ｂは、基地局装置２０からＣＳＩ−ＲＳ及び下り制御信号を受信する。取得部１１１Ｂは、下り制御信号を復調して信号の中身を解析することで、ＣＳＩ−ＲＳの位置情報、ＣＳＩ−ＲＳパラメータ、ミューティング情報を取得する。
【００８３】
測定部１１２Ｂは、ＣＳＩ−ＲＳの位置情報、系列、送信電力等のパラメータからＣＳＩを測定する。ユーザデータ復調部１１３Ｂは、送受信部１０３Ｂを介して受信したユーザデータを復調する。この場合、ユーザデータ復調部１１３Ｂは、基地局装置２０から通知されたミューティング情報により、余分なＣＳＩ−ＲＳが割り当てられたリソースをミューティングされたリソースとして認識する。このため、ユーザデータ復調部１１３Ｂが、ＣＳＩ−ＲＳが割り当てられたリソースとミューティングされたリソースとを復調せず、すなわちレートマッチングすることで、復調処理のスループットおよび復調精度が向上される。なお、４Ｔｘ移動端末装置１０Ｂは、ハイヤレイヤシグナリングにより、ＣＳＩ−ＲＳの位置情報、ＣＳＩ−ＲＳパラメータ、ミューティング情報を受信する構成としてもよい。
【００８４】
図１２を参照して、第２の通知方法に対応した基地局装置の機能ブロックについて説明する。なお、図１２の各機能ブロックは、主にベースバンド処理部の処理内容を簡略化して示しており、ベースバンド処理部において通常備える構成を備えるものとする。また、図１２は、図１０と同一名称のブロックは、同一の符号を付して説明する。また、以下の説明では、主に図５に示すＣＳＩ−ＲＳの割当構成に対応させて説明する。
【００８５】
図１２に示す第２の通知方法では、基地局装置２０は、ＣＳＩ−ＲＳ割当部２１１と、８Ｔｘ用のＣＳＩ−ＲＳ位置情報生成部２１２ａ、４Ｔｘ用のＣＳＩ−ＲＳ位置情報生成部２１２ｂと、８Ｔｘ用のミューティング情報生成部２１３ａ、４Ｔｘ用のミューティング情報生成部２１３ｂと、ＣＳＩ−ＲＳパラメータ生成部２１４と、報知信号生成部２１６と、送受信部２０３とを有している。なお、本構成においても性能情報取得部を設けて、移動端末装置の性能情報を取得して報知を可変する構成としてよい。
【００８６】
ＣＳＩ−ＲＳ割当部２１１は、８ＴｘのＣＳＩ−ＲＳ用リソースにＣＳＩ−ＲＳを割り当てる。これにより、８Ｔｘ移動端末装置１０Ａだけでなく、４Ｔｘ移動端末装置１０Ｂに対してもＣＳＩ−ＲＳが割り当てられる。なお、ＣＳＩ−ＲＳ割当部２１１は、異なるＭＩＭＯ送信をサポートする各移動端末装置１０Ａ、１０Ｂに対して、異なるリソースにＣＳＩ−ＲＳを割り当ててもよい。
【００８７】
ＣＳＩ−ＲＳ位置情報生成部２１２ａは、８Ｔｘ移動端末装置１０Ａ用としてＣＳＩ−ＲＳ割当部２１１によって割り当てられた８Ｔｘ用のＣＳＩ−ＲＳの位置情報を生成する。ＣＳＩ−ＲＳ位置情報生成部２１２ｂは、４Ｔｘ移動端末装置１０Ｂ用としてＣＳＩ−ＲＳ割当部２１１によって割り当てられた４Ｔｘ用のＣＳＩ−ＲＳの位置情報を生成する。ＣＳＩ−ＲＳの位置情報としては、ＣＳＩ−ＲＳが割り当てられるリソースの他に、送信周期（Duty  Cycle）、サブフレームオフセット等が含まれる。ＣＳＩ−ＲＳが割り当てられるリソースは、CSI  Configurationやビットマップ情報等により特定される。ＣＳＩ−ＲＳの位置情報は、ＣＳＩ−ＲＳパラメータの一つとして報知信号生成部２１６に入力される。
【００８８】
ミューティング情報生成部２１３ａは、８Ｔｘ移動端末装置１０Ａに対し、余分なＣＳＩ−ＲＳが割り当てられるリソースをミューティングされるリソースとして認識させる８Ｔｘ用のミューティング情報を生成する。ミューティング情報生成部２１３ｂは、４Ｔｘ移動端末装置１０Ｂに対し、余分なＣＳＩ−ＲＳが割り当てられるリソースをミューティングされるリソースとして認識させる４Ｔｘ用のミューティング情報を生成する。これらのミューティング情報に示されるリソースは、実際にはＣＳＩ−ＲＳが割り当てられており、ミューティングされていない。ミューティング情報としては、ビットマップ情報やCSI  Configurationが生成される。ミューティング情報は、報知信号生成部２１６に入力される。
【００８９】
ＣＳＩ−ＲＳパラメータ生成部２１４は、ＣＳＩ−ＲＳの位置情報以外のＣＳＩ−ＲＳの系列や送信電力等のパラメータを生成する。ＣＳＩ−ＲＳパラメータ生成部２１４に生成されたＣＳＩ−ＲＳパラメータは、報知信号生成部２１６に入力される。
【００９０】
報知信号生成部２１６は、４Ｔｘ用、８Ｔｘ用のＣＳＩ−ＲＳの位置情報、ＣＳＩ−ＲＳパラメータ、４Ｔｘ用、８Ｔｘ用のミューティング情報を含めて報知信号を生成する。これにより、８Ｔｘ移動端末装置１０Ａ及び４Ｔｘ移動端末装置１０Ｂに対して、４Ｔｘ用、８Ｔｘ用のＣＳＩ−ＲＳの位置情報、ＣＳＩ−ＲＳパラメータ、４Ｔｘ用、８Ｔｘ用のミューティング情報が一斉に報知される。送受信部２０３は、ＣＳＩ−ＲＳ及び報知信号を各移動端末装置１０Ａ、１０Ｂに送信する。
【００９１】
図１３を参照して、第２の通知方法に対応した４Ｔｘ、８Ｔｘ移動端末装置の機能ブロックについて説明する。なお、図１３の各機能ブロックは、主にベースバンド処理部の処理内容を簡略化して示しており、ベースバンド処理部において通常備える構成を備えるものとする。また、図１３は、図１１と同一名称のブロックは、同一の符号を付して説明する。
【００９２】
図１３に示すように、８Ｔｘ移動端末装置１０Ａは、送受信部１０３Ａと、取得部１１１Ａと、測定部１１２Ａと、ユーザデータ復調部１１３Ａとを有している。送受信部１０３Ａは、基地局装置２０からＣＳＩ−ＲＳ及び報知信号を受信する。取得部１１１Ａは、報知信号を復調して信号の中身を解析することで、４Ｔｘ用の通知を無視して、８Ｔｘ用のＣＳＩ−ＲＳの位置情報及びＣＳＩ−ＲＳパラメータを取得する。なお、取得部１１１Ａは、報知信号に８Ｔｘ用のミューティング情報が含まれる場合には、ミューティング情報を取得することも可能である。
【００９３】
測定部１１２Ａは、ＣＳＩ−ＲＳの位置情報、系列、送信電力等のパラメータからＣＳＩを測定する。ユーザデータ復調部１１３Ａは、送受信部１０３Ａを介して受信したユーザデータを復調する。なお、８Ｔｘ移動端末装置１０Ａは、ハイヤレイヤシグナリングにより、ＣＳＩ−ＲＳの位置情報、ＣＳＩ−ＲＳパラメータを受信する構成としてもよい。また、ユーザデータ復調部１１３Ａは、報知信号にミューティング情報が含まれる場合には、ＣＳＩ−ＲＳの位置情報に示されるリソースと共にミューティング情報に示されるリソースを無視してユーザデータを復調する。
【００９４】
また、４Ｔｘ移動端末装置１０Ｂは、送受信部１０３Ｂと、取得部１１１Ｂと、測定部１１２Ｂと、ユーザデータ復調部１１３Ｂとを有している。送受信部１０３Ｂは、基地局装置２０からＣＳＩ−ＲＳ及び報知信号を受信する。取得部１１１Ｂは、報知信号を復調して信号の中身を解析することで、８Ｔｘ用の通知を無視して、４Ｔｘ用のＣＳＩ−ＲＳの位置情報、ＣＳＩ−ＲＳパラメータ、ミューティング情報を取得する。
【００９５】
測定部１１２Ｂは、ＣＳＩ−ＲＳの位置情報、系列、送信電力等のパラメータからＣＳＩを測定する。ユーザデータ復調部１１３Ｂは、送受信部１０３Ｂを介して受信したユーザデータを復調する。この場合、ユーザデータ復調部１１３Ｂは、基地局装置２０から通知されたミューティング情報により、余分なＣＳＩ−ＲＳが割り当てられたリソースをミューティングされるリソースとして認識する。このため、ユーザデータ復調部１１３Ｂが、ＣＳＩ−ＲＳが割り当てられたリソースとミューティングされたリソースとを復調せず、すなわちレートマッチングすることで、復調処理のスループットおよび復調精度が向上される。なお、４Ｔｘ移動端末装置１０Ｂは、ハイヤレイヤシグナリングにより、ＣＳＩ−ＲＳの位置情報、ＣＳＩ−ＲＳパラメータ、ミューティング情報を受信する構成としてもよい。
【００９６】
以上のように、本実施の形態に係る基地局装置２０によれば、４ＴｘＭＩＭＯ送信用から８ＴｘＭＩＭＯ送信用にアップグレードされた場合であっても、８Ｔｘ移動端末装置１０Ａ及び４Ｔｘ移動端末装置１０Ｂに対してＣＳＩ−ＲＳを受信させることができる。また、４Ｔｘ移動端末装置１０Ｂに対しては、基地局装置２０から通知されるＣＳＩ−ＲＳのうち、ミューティング情報に示されたリソースのＣＳＩ−ＲＳを無視して、チャネル状態を測定できる。よって、４Ｔｘ移動端末装置１０Ｂは、基地局装置２０のアップグレードの影響を受けることなくＣＳＩ−ＲＳを受信できる。
【００９７】
なお、上記した実施の形態においては、第１、第２の通知方法を例示したが、ＣＳＩ−ＲＳの位置情報の通知方法はこれに限定されるものではない。ＣＳＩ−ＲＳの位置情報の通知方法は、８Ｔｘ移動端末装置に対しては、少なくともＣＳＩ−ＲＳが割り当てられるリソースを通知し、４Ｔｘ移動端末装置に対しては、ＣＳＩ−ＲＳが割り当てられるリソースを通知する際に、一部のリソースをミューティングされるリソースとして通知する方法であればよい。
【００９８】
また、上記した実施の形態においては、移動端末装置において、取得部がＣＳＩ−ＲＳの位置情報、ミューティング情報、ＣＳＩ−ＲＳパラメータを取得する構成としたが、この構成に限定されるものではない。ＣＳＩ−ＲＳの位置情報、ミューティング情報、ＣＳＩ−ＲＳパラメータは、取得部以外の機能ブロック、例えば、測定部やユーザデータ復調部により取得される構成としてもよい。
【００９９】
また、上記した実施の形態においては、参照信号としてＣＳＩ−ＲＳを例示したが、これに限定されるものではない。参照信号は、チャネル状態の測定に使用されるものであればよい。また、ＣＳＩは、ＣＱＩ、ＰＭＩ、ＲＩの少なくとも１つを含むものであればよい。
【０１００】
本発明は上記実施の形態に限定されず、様々変更して実施することが可能である。例えば、本発明の範囲を逸脱しない限りにおいて、上記説明におけるＣＳＩ−ＲＳの設定位置、ミューティングの設定位置、処理部の数、処理手順、ＣＳＩ−ＲＳの数、ミューティングの数、アンテナ数については適宜変更して実施することが可能である。その他、本発明の範囲を逸脱しないで適宜変更して実施することが可能である。
【符号の説明】
【０１０１】
１  無線通信システム
１０Ａ  ８Ｔｘ移動端末装置（第１の移動端末装置）
１０Ｂ  ４Ｔｘ移動端末装置（第２の移動端末装置）
２０Ａ、２０Ｂ  基地局装置
１０１  送受信アンテナ
１０３Ａ、１０３Ｂ  送受信部（受信部）
１１１Ａ、１１１Ｂ  取得部
１１２Ａ、１１２Ｂ  測定部
１１３Ａ、１１３Ｂ  ユーザデータ復調部
２０１  送受信アンテナ
２０３  送受信部（参照信号通知部）
２１１  ＣＳＩ−ＲＳ割当部（参照信号割当部）
２１２  ＣＳＩ−ＲＳ位置情報生成部
２１３  ミューティング情報生成部
２１４  ＣＳＩ−ＲＳパラメータ生成部
２１５  下り制御信号生成部（参照信号通知部）
２１６  報知信号生成部（参照信号通知部）
【図１】
2012169821.tif 000003
【図２】
2012169821.tif 000004
【図３】
2012169821.tif 000005
【図４】
2012169821.tif 000006
【図５】
2012169821.tif 000007
【図６】
2012169821.tif 000008
【図７】
2012169821.tif 000009
【図８】
2012169821.tif 000010
【図９】
2012169821.tif 000011
【図１０】
2012169821.tif 000012
【図１１】
2012169821.tif 000013
【図１２】
2012169821.tif 000014
【図１３】
2012169821.tif 000015